(57)【要約】      （修正有）【課題】点検に伴う消火薬剤の誤放出を抑止するための作業を簡単且つ安全に行うことを可能とする。【解決手段】自動消火装置は、手動消火する場合は、遠隔操作装置３２の起動スイッチ５８の操作により起動信号を制御装置２２に出力し消火剤容器に設けた起動装置２８を開放作動して消火薬剤を防護区画に放出させる。メンテナンス装置３４は、人為操作可能な位置に設置し、筐体に鍵付きの開閉自在な扉を備え、筐体内に遠隔操作装置３２の起動スイッチ５８から制御装置２２に接続している起動信号ライン７２を引き込み、起動信号ライン７２に着脱自在なコネクタ６６とプラグ６８を有するコネクタ装置６４を設け、点検の際には、コネクタ装置６４により起動信号ライン５８を切り離し、消火薬剤の放出を抑止する。【選択図】図３
2015077317.tif 000002
【特許請求の範囲】
【請求項１】
高所に設置した収納ボックス内に制御装置と起動装置を備えた消火剤容器を収納し、センサに基づいて制御装置で火災を検出した場合、又は、人為操作可能な位置に設置した遠隔操作装置に設けた起動スイッチの操作により起動信号を前記制御装置で受信した場合、前記消火剤容器に設けた前記起動装置を作動して前記消火剤容器に充填した消火薬剤を所定の防護区画に放出させる自動消火設備に於いて、
前記遠隔操作装置の起動スイッチから前記制御装置に接続している起動信号ラインを切り離し操作により遮断して前記消火薬剤の誤放出を抑止するメンテナンス装置を、人為操作可能な位置に設けたことを特徴とする自動消火設備。
【請求項２】
請求項１記載の自動消火設備に於いて、前記メンテナンス装置は、筐体に鍵付きの開閉自在な扉を備え、前記筐体内に前記起動スイッチから前記制御装置に接続している起動信号ラインを引き込み、当該起動信号ラインに着脱自在なコネクタとプラグを有するコネクタ装置を設けて断接可能としたことを特徴とする自動消火設備。
【請求項３】
請求項２記載の自動消火設備に於いて、前記メンテナンス装置は、前記起動信号ラインに加え、前記制御装置との間をダミー信号ラインで接続し、前記ダミー信号ラインを前記コネクタ装置のコネクタとプラグに接続して断接可能とし、更に、前記ダミー信号ラインを点検状態表示器に接続して前記コネクタ装置による前記起動信号ラインの断接状態を表示することを特徴とする自動消火設備。
【請求項４】
請求項１記載の自動消火設備に於いて、前記メンテナンス装置は、筐体に鍵付きの開閉自在な扉を備え、前記起動スイッチから前記制御装置に接続している起動信号ラインを引き込み、当該起動信号ラインに点検スイッチを設けて断接し可能としたことを特徴とする自動消火設備。
【請求項５】
請求項４記載の自動消火設備に於いて、前記メンテナンス装置は、前記起動信号ラインに加え、前記制御装置との間をダミー信号ラインで接続し、前記ダミー信号ラインに前記点検スイッチに連動する連動スイッチを設けて断接可能とし、更に、前記ダミー信号ラインを点検状態表示器に接続して前記点検スイッチによる前記起動信号ラインの断接状態を表示することを特徴とする自動消火設備。
【請求項６】
請求項３又は５に記載の自動消火設備に於いて、前記点検状態表示器は、表示灯の点灯又は消灯により前記コネクタ装置の切り離しを表示することを特徴とする自動消火装置。
【請求項７】
請求項１乃至６の何れかに記載の自動消火設備に於いて、前記メンテナンス装置を前記遠隔操作装置と一体に設けたことを特徴とする自動消火設備。
【発明の詳細な説明】
【技術分野】
【０００１】
本発明は、火気を多く使用する厨房設備等における温度を監視し、火災が想定される温度を検出した場合に消火薬剤をフードやダクトに放出して消火抑制する自動消火装置に関する。
【背景技術】
【０００２】
従来、厨房用の自動消火設備は、厨房設備として設けたレンジやフライヤーの部分を防護対象物として、火災を自動的に感知し、消火薬剤を放出して消火する。
【０００３】
この自動消火設備は、ダクトやフードに設置した消火ノズル、ダクト内の温度を検出するダクトセンサ、ダクトセンサの検出温度に基づき火災を判断して消火制御を行う制御装置、消火薬剤を充填した消火剤容器、制御装置により作動して消火剤容器に充填した消火薬剤を消火ノズルから放出させる起動装置、レンジに供給するガスを遮断するガス遮断装置、手動操作用の起動スイッチを備えた遠隔操作装置等から構成される。
【０００４】
このうち制御装置と消火剤容器は収納ボックスに格納されており、収納ボックスの設置場所は、厨房であるため、フードの横側で且つ天井付近に設置されることが多い。
【０００５】
厨房用の自動消火設備は、消火装置であるため、年1回の点検を行っており、点検の際には、ダクトセンサに基づく自動消火および起動スイッチの操作による手動消火の起動制御が正常に行えることを確認している。この場合、消火薬剤の放出は行わないが、消火薬剤の誤放出に備え、レンジ全体を防護シートで覆うなどの措置をとり、更に、収納ボックス内の制御装置の出力部から消火剤容器の起動装置に電気的に接続されたケーブルのコネクタを物理的に外すことを、点検の際には必ず実施している。
【先行技術文献】
【特許文献】
【０００６】
【特許文献１】特開平９−３１３６３７号公報
【発明の概要】
【発明が解決しようとする課題】
【０００７】
しかしながら、点検の際に外す必要のあるケーブルのコネクタは、収納ボックス内にあるため、脚立を用いてコネクタを外す作業を必要とし、油で滑りやすい厨房の床に脚立を立てて作業した場合には、転倒などの二次災害が発生する可能性が高く、労働災害も発生している。
【０００８】
また、脚立に上って行う不安定な作業に伴い、点検作業も不確実なものとなり易く、脚立を使用した高所作業を必要とすることなく点検を行うことが求められている。
【０００９】
本発明は、点検に伴う消火薬剤の誤放出を抑止するための作業を簡単且つ安全に行うことを可能とする厨房設備等の自動消火設備を提供することを目的とする。
【課題を解決するための手段】
【００１０】
（自動消火設備）
本発明は、高所に設置した収納ボックス内に制御装置と起動装置を備えた消火剤容器を収納し、センサに基づいて制御装置で火災を検出した場合、又は、人為操作可能な位置に設置した遠隔操作装置の起動スイッチの操作により起動信号を制御装置で受信した場合、消火剤容器に設けた起動装置を作動して消火剤容器に充填した消火薬剤を所定の防護区画に放出させる自動消火設備に於いて、
遠隔操作装置の起動スイッチから制御装置に接続している起動信号ラインを切り離し操作により遮断して消火薬剤の誤放出を抑止するメンテナンス装置を、人為操作可能な位置に設けたことを特徴とする。
【００１１】
（コネクタによる切り離し）
メンテナンス装置は、筐体に鍵付きの開閉自在な扉を備え、記筐体内に起動スイッチから制御装置に接続している起動信号ラインを引き込み、当該起動信号ラインに着脱自在なコネクタとプラグを有するコネクタ装置を設けて断接可能とする。
【００１２】
（コネクタ装置の状態監視）
メンテナンス装置は、起動信号ラインに加え、制御装置との間をダミー信号ラインで接続し、ダミー信号ラインをコネクタ装置のコネクタとプラグに接続して断接可能とし、更に、ダミー信号ラインを状態表示器に接続してコネクタ装置による起動信号ラインの断接状態を表示する。
【００１３】
（点検スイッチによる切り離し）
メンテナンス装置は、筐体に鍵付きの開閉自在な扉を備え、筐体内に起動スイッチから制御装置に接続している起動信号ラインを引き込み、当該起動信号ラインに点検スイッチを設けて断接可能とする。
【００１４】
（点検スイッチの状態監視）
メンテナンス装置は、起動信号ラインに加え、制御装置との間をダミー信号ラインで接続し、ダミー信号ラインに点検スイッチに連動する連動スイッチを設けて断接可能とし、更に、ダミー信号ラインを点検状態表示器に接続して点検スイッチによる起動信号ラインの断接状態を表示する。
【００１５】
（表示器の点灯又は消灯による切り離し表示）
点検状態表示器は、表示灯の点灯又は消灯によりコネクタ装置の切り離しを表示する。
【００１６】
（遠隔操作装置との一体化）
メンテナンス装置を前記遠隔操作装置と一体に設ける
【発明の効果】
【００１７】
（基本的な効果）
本発明によれば、高所に設置した収納ボックス内に制御装置と起動装置を備えた消火剤容器を収納し、センサに基づいて制御装置で火災を検出した場合、又は、人為操作可能な位置に設置した遠隔操作装置の起動スイッチの操作による起動信号を制御装置で受信した場合に、消火剤容器に設けた起動装置を作動して消火剤容器に充填した消火薬剤を所定の防護区画に放出させる自動消火設備について、遠隔操作装置の起動スイッチから制御装置に接続している起動信号ラインを切り離し操作により遮断して消火薬剤の誤放出を抑止するメンテナンス装置を、人為操作可能な位置に設けるようにしたため、自動消火設備を点検する際に、遠隔操作装置と同様に、人為的に操作可能な位置に設置しているメンテナンス装置において、起動スイッチから制御装置に接続している起動信号ラインを切り離す操作を行うことで、起動スイッチの操作による消火薬剤の誤放出を確実に防止し、従来のように高所に設置されている収納ボックス内のケーブルのコネクタを外すような脚立に上って行う不安定な作業を不要とし、点検に伴う消火薬剤の誤放出を抑止するための起動信号ラインの切り離し作業を簡単且つ安全に行うことを可能とする。
【００１８】
（コネクタによる切り離しの効果）
また、メンテナンス装置は、筐体に鍵付きの開閉自在な扉を備え、筐体内に起動スイッチから制御装置に接続している起動信号ラインを引き込み、当該起動信号ラインに着脱自在なコネクタとプラグを有するコネクタ装置を設けて断接可能としていることから、メンテナンス装置の扉を開いて収納しているコネクタ装置のコネクタからプラグを引き抜くことで、簡単に起動信号ラインを切り離すことができる。
【００１９】
（コネクタ装置の状態監視による効果）
また、メンテナンス装置は、起動信号ラインに加え、制御装置との間をダミー信号ラインで接続し、ダミー信号ラインをコネクタ装置のコネクタとプラグに接続して断接可能とし、更に、ダミー信号ラインを点検状態表示器に接続してコネクタ装置の断接状態を表示するようにしたため、コネクタ装置による起動信号ラインの断接と同時にダミー信号ラインの断接が行われ、これに伴いコネクタ装置によるダミー信号ラインの接続状態で例えば点灯していた点検状態表示器は、ダミー信号ラインの切り離しにより消灯し、コネクタ装置による起動信号ラインの断接状態を表示することを可能とする。
【００２０】
また、点検を終了した場合に、メンテナンス装置の点検状態表示器が点灯していれば、コネクタ装置は接続状態に戻されて正常に機能することが分かり、一方、点検状態表示器が消灯していれば、コネクタ装置を接続状態に戻し忘れていることが外部から分かり、コネクタ装置の接続状態への復旧を忘れにより起動スイッチの操作による消火薬剤の放出機能が失われてしまう事態を未然に防止可能とする。
【００２１】
また、コネクタ装置の戻し忘れを防止するためには、起動スイッチと並列に終端抵抗を接続した状態で起動信号ラインに電圧を印加して断線監視電流を流してコネクタ装置の断接を監視することも可能であるが、起動信号ラインに電圧を加えていると、制御装置の誤動作により消火薬剤を誤放出する可能性があり、これを防止するため、別にダミー信号ラインを設けてコネクタ装置の断接状態を監視することで、消火薬剤の誤放出の可能性を確実に排除可能とする。
【００２２】
（点検スイッチによる切り離しによる効果）
また、メンテナンス装置は、筐体に鍵付きの開閉自在な扉を備え、筐体内に起動スイッチから制御装置に接続している起動信号ラインを引き込み、当該信号ラインに点検スイッチを設けて断接可能とすることで、メンテナンス装置の扉を開いて収納しているコネクタ装置の点検スイッチをオフ操作することで、より簡単に起動信号ラインを切り離すことができる。
【００２３】
（点検スイッチの状態監視による効果）
また、メンテナンス装置は、起動信号ラインに加え、制御装置との間をダミー信号ラインで接続し、ダミー信号ラインに点検スイッチに連動する連動スイッチを設けて断接可能とし、更に、ダミー信号ラインを点検状態表示器に接続して点検スイッチの断接状態を表示するにしたため、点検スイッチの復旧忘れにより起動スイッチの操作による消火薬剤の放出機能が失われてしまう事態を未然に防止可能とする。また、ダミー信号ラインを設けて点検スイッチの状態を監視することで、起動信号ラインに電圧を加えて点検スイッチの状態を監視する必要がないため、消火薬剤の誤放出の可能性を確実に排除可能とする。
【００２４】
（遠隔操作装置との一体化）
また、メンテナンス装置を遠隔操作装置と一体に設けることで、メンテナンス装置の設置スペースを別途確保する必要がなく、また、点検の際にメンテナンス装置で行う起動信号ラインの切り離し操作も、メンテナンス装置の設置場所を探すことなく、簡単且つ容易に行うことを可能とする。
【図面の簡単な説明】
【００２５】
【図１】厨房設備に設けた自動消火設備の概略を示した説明図
【図２】遠隔操作装置と一体に設けたメンテナンス装置の実施形態を示した説明図
【図３】図２の遠隔操作装置及びメンテナンス装置の回路機能を示した説明図
【図４】点検スイッチにより起動信号ラインを切り離すメンテナンス装置の実施形態を示した説明図
【図５】遠隔操作装置に対し分離配置したメンテナンス装置の実施形態を示した回路ブロック図
【図６】図５の回路機能の実施形態を示した説明図
【図７】図５の回路機能の他の実施形態を示した説明図
【発明を実施するための形態】
【００２６】
［自動消火装置］
（自動消火設備の概略）
図１は厨房設備に設けた自動消火設備の概略を示した説明図である。図１に示すように、自動消火設備を設置する厨房設備は、レンジ１０とフライヤー１２を設置し、その上部にフード１４を設置し、フード１４はダクト１６に連結し、ファン１８の駆動で排気を可能としており、ファン１８は例えば空調制御盤４０４２により運転と停止を制御する。
【００２７】
自動消火設備は、フード１４の横の天井面に近い位置に収納ボックス２０を設置し、収納ボックス２０に制御装置２２と消火剤容器（ボンベ）２６を収納している。消火剤容器２６はその出口配管を共通接続し、続いて起動装置２６２８を設け、起動装置２８の二次側からの配管を、フード１４及びダクト１６の内部に設置した消火ノズル３０に接続している。
【００２８】
制御装置２２には、ダクト１６内に設置したダクトセンサ２４を信号線接続している。ダクトセンサ２４は温度検出素子であり、例えばサーミスタ等を使用し、制御装置２２はダクトセンサ２４の検出信号に基づきダクト１６内の温度を検出する。
【００２９】
また制御装置２２には、遠隔操作装置３２、ガス遮断弁３８を遮断操作するガス遮断操作装置３６、火災受信盤４０、空調制御盤４２を信号線で接続している。また分電盤４４から制御装置２２及びレンジ１０とフライヤー１２に商用交流電源を供給している。
【００３０】
遠隔操作装置３２は、人為的に操作可能な厨房の壁面などの位置に設置し、手動消火を行うための起動スイッチを備え、これ以外に、動作表示灯、警報表示灯、リセットスイッチ、警報ブザーなどを備えている。
【００３１】
本実施形態にあっては、遠隔操作装置３２と一体にメンテナンス装置３４を設けている。メンテナンス装置３４は、点検の際に、遠隔操作装置３２の起動スイッチから制御装置２２に接続している信号ラインを切り離し操作により遮断して消火薬剤の誤放出を抑止する。
【００３２】
（自動消火設備の自動消火）
制御装置２２による自動消火設備の自動消火制御は次のようになる。制御装置２２は、レンジ１０やフライヤー１２の使用に伴う火災でダクト１６内の温度上昇をダクトセンサ２４からの検出信号に基づき検出し、第１設定温度Ｔ１、例えば１５０℃以上を判別した場合、ガス遮断操作装置３６を経由してガス遮断弁３８を遮断してガス供給を停止する制御を行い、続いて、遠隔操作装置３２に制御信号を出力して警報表示灯を点灯すると共に警報ブザーを鳴動させる制御を行う。
【００３３】
続いて制御装置２２はダクトセンサ２４の検出信号に基づく検出温度が第２設定温度Ｔ２、例えば１８０℃以上を判別した場合、火災発生と判断し、起動装置２８を開放作動し、消火剤容器２６に充填している消火薬剤を消火ノズル３０からフード１４及びダクト１６内に放出して消火する制御を行い、更に、火災受信盤４０に火災移報信号を発信し、火災警報を出力させる制御を行う。
【００３４】
（自動消火設備の手動消火）
制御装置２２による自動消火設備の手動消火制御は次のようになる。火災に気付いた利用者は、遠隔操作装置３２の扉を開き、内部に設けている起動スイッチの押釦を押圧操作し、起動スイッチをオンすると、遠隔操作装置３２から制御装置２２に起動信号が出力され、これを受信した制御装置２２が遠隔操作装置３２へ制御信号を出力して警報表示灯を点灯すると共に警報ブザーを鳴動する。
【００３５】
遠隔操作装置３２からの起動信号を受信した制御装置２２は、起動装置２８を開放作動し、消火剤容器２６に充填している消火薬剤を消火ノズル３０からフード１４及びダクト１６内に放出して消火する制御を行い、更に、火災受信盤４０に火災移報信号を発信し、火災警報を出力させる制御を行う。
【００３６】
［遠隔操作装置とメンテナンス装置の装置構成］
図２は遠隔操作装置と一体に設けたメンテナンス装置の実施形態を示した説明図であり、図２（Ａ）に扉を閉じた状態を示し、図２（Ｂ）に扉を開いた状態を示す。
【００３７】
図２に示すように、遠隔操作装置３２は下側にメンテナンス装置３４を一体に備え、上部に横開きの扉４６を設け、扉４６の表示窓から扉内に設けた動作表示灯４８と警報表示灯５０を視認可能としている。動作表示灯４８は、制御装置２２からの制御信号により、正常な場合は点灯し、異常を検知した場合は点滅する。警報表示灯５０は、制御装置２２からの制御信号により、自動又は手動による消火薬剤の放出に伴い点灯する。
【００３８】
扉１６は閉鎖状態でシール４７により封止しており、手動消火の際には、シール４７を外すか破いて扉４６開くようにしており、悪戯などによる不必要な扉開放を抑止している。また、遠隔操作装置３２の扉１６を開いた内側には、動作表示灯４８と警報表示灯５０に加え、リセットスイッチ６０と警報ブザーを内蔵した音響孔６２を設けている。
【００３９】
遠隔操作装置３２の下側に一体に設けたメンテナンス装置３４は、下向きに開閉自在な扉５４を備え、鍵穴５６を持つ施錠機構により通常はロックしており、点検の場合には鍵を使用して扉５４を開く。扉５４を開いたメンテナンス装置３４の筐体内にはコネクタ装置６４を収納している。
【００４０】
コネクタ装置６４はコネクタ６６にプラグ６８を差し込んで接続しており、遠隔操作装置３２に設けた起動スイッチ５８から制御装置に対する起動信号ラインを引き込んでコネクタ装置６４により断接可能としており、点検の場合には、コネクタ６６からプラグ６８を外すことで、起動スイッチ５８からの起動信号ラインを切り離すようにしている。
【００４１】
また、メンテナンス装置３４を設けたことに伴い、遠隔操作装置３２に点検状態表示器とし機能する点検状態表示灯５２を設けている。点検状態表示灯５２はコネクタ装置６４を接続した状態で点灯し、コネクタ装置６４を切り離すと消灯する。なお、点検状態表示灯５２はメンテナンス装置３４側ではなく、遠隔操作装置３２に設けても良い。
【００４２】
［遠隔操作装置とメンテナンス装置の回路構成］
図３は遠隔操作装置及びメンテナンス装置の回路構成の概略を制御装置側と共に示した説明図であり、図３（Ａ）に通常監視中のコネクタ接続状態を示し、図３（Ｂ）に点検の際にコネクタ接続を外した状態を示す。
【００４３】
図３に示すように、遠隔操作装置３２は操作制御部７０を備え、制御装置２２に対し制御信号ライン７６で接続している。操作制御部７０にはＬＥＤを用いた動作表示灯４８と警報表示灯５０を接続し、更に、図示を省略したリセットスイッチと警報ブザーを接続している。また遠隔操作装置３２には起動スイッチ５８を設け、起動スイッチ５８は起動信号ライン７２により制御装置２２に接続している。
【００４４】
メンテナンス装置３４は、コネクタ６６とプラグ６８を着脱自在に連結したコネクタ装置６４を備え、コネクタ装置６４は２本のコネクタ金具とプラグ金具による２つのコネクタ回路を備え、起動スイッチ５８から引き込んだ起動信号ライン７２の片線にコネクタ装置６４の一方のコネクタ回路を挿入接続している。
【００４５】
また、メンテナンス装置３４と制御装置２２の間にダミー信号ライン７４を接続している。ダミー信号ライン７４の片線には、コネクタ装置６４の他方のコネクタ回路を挿入接続し、続いてＬＥＤを用いた点検状態表示灯５２を挿入接続している。
【００４６】
ダミー信号ライン７４には制御装置２２側に設けた駆動回路部から所定の電圧が印加されており、コネクタ６４の接続状態では、点検状態表示灯５２に駆動電流を流し、点検状態表示灯５２を点灯して、コネクタ装置６４が接続状態にあることを表示している。
【００４７】
自動消火設備を点検する場合には、図２（Ｂ）に示したように、鍵穴５６に鍵を差し込んでロックを解除し、扉５４を開いて筐体内のコネクタ装置６４を取り扱い可能とし、図３（Ｂ）に示すように、コネクタ６６からプラグ６８を引き外し、これによって起動信号ライン７２の切り離しが行われ、この状態で起動スイッチ５８をオン操作しても、制御装置２２に起動信号は出力されず、点検中における消火薬剤の誤放出を確実に抑止することができる。
【００４８】
またコネクタ装置６４のコネクタ６６からプラグ６８を引き外した場合、ダミー信号ライン７４の切り離しも行われ、それまで点灯していた点検状態表示灯５２が消灯し、コネクタ装置６４が切り離し状態にあることを報知する。
【００４９】
また、自動消火設備を点検する際に、遠隔操作装置３２と一体に、人為的に操作可能な位置にメンテナンス装置３４  を設けており、従来の高所に設置している収納ボックス内のケーブルのコネクタを脚立に上って外すような不安定な作業を不要とし、点検に伴う消火薬剤の誤放出を抑止するための起動信号ライン７２の切り離し作業を簡単且つ安全に行うことを可能とする。
【００５０】
また、点検終了でコネクタ装置６４を接続状態に戻し忘れた場合には、点検状態表示灯５２が消灯しており、これによってメンテナンス装置３４の筐体内に収納しているコネクタ装置６４が切り離したままになっていることが外部から分かり、コネクタ装置６４の復旧忘れによる手動消火機能の喪失を確実に防止可能とする。
【００５１】
［点検スイッチによる起動信号ラインの切り離し］
図４は点検スイッチにより信号ラインを切り離すメンテナンス装置の実施形態を示した説明図である。
【００５２】
図４に示すように、遠隔操作装置３２と一体に設けた本実施形態のメンテナンス装置３４は、２回路の連動する点検スイッチ接点８２と連動スイッチ接点８４を備えた点検スイッチ８０を備え、起動スイッチ５８から引き込んだ起動信号ライン７２の片線に点検スイッチ８０の点検スイッチ接点８２を挿入接続している。
【００５３】
また、メンテナンス装置３４と制御装置２２の間を接続しているダミー信号ライン７４の片線に、点検スイッチ８０の連動スイッチ接点８４を挿入接続し、続いてＬＥＤを用いた点検状態表示灯５２を挿入接続している。
【００５４】
点検スイッチ８０は通常はスイッチ接点８２及び連動スイッチ接点８４を閉じたオン位置にあり、ダミー信号ライン７４には制御装置２２側に設けた駆動回路部から所定の電圧が印加されており、オン状態にある連動スイッチ接点８４を介して点検状態表示灯５２に駆動電流を流し、点検状態表示灯５２を点灯して、点検スイッチ８０がオン状態にあることを表示している。
【００５５】
自動消火設備を点検する場合には、図２（Ｂ）に示したように、鍵穴５６に鍵を差し込んでロックを解除し、扉５４を開いて点検スイッチ８０をオフ操作して点検スイッチ接点８２と連動スイッチ接点８４を開き、これによって起動信号ライン７２の切り離しが行われ、この状態で起動スイッチ５８をオン操作しても、制御装置２２に起動信号は出力されず、点検中における消火薬剤の誤放出を確実に抑止することができる。
【００５６】
また点検スイッチ８０のオフ操作による連動スイッチ接点８４の開放でダミー信号ライン７４を切り離しており、それまで点灯していた点検状態表示灯５２が消灯し、点検スイッチ８０がオフ状態にあることを報知する。
【００５７】
また、人為的に操作可能な位置にメンテナンス装置３４を設けており、自動消火設備を点検する際に、従来の高所に設置している収納ボックス内のケーブルのコネクタを脚立に上って外すような不安定な作業を不要とし、点検に伴う消火薬剤の誤放出を抑止するための起動信号ライン７２の切り離し作業を簡単且つ安全に行うことを可能とする。
【００５８】
また、点検終了で点検スイッチ８０をオン状態に戻し忘れた場合には、点検状態表示灯５２が消灯しており、これによってメンテナンス装置３４の筐体内に収納している点検スイッチ８０がオフしたままになっていることが外部から分かり、点検スイッチ８０の復旧忘れによる手動消火機能の喪失を確実に防止可能とする。
【００５９】
［遠隔操作装置に対し分離配置したメンテナンス装置］
図５は遠隔操作装置に対し分離配置したメンテナンス装置の実施形態を示した説明図であり、図５（Ａ）に扉を閉じた状態を示し、図５（Ｂ）に扉を開いた状態を示す。また図６は図５の遠隔操作装置及びメンテナンス装置の回路機能の実施形態を示した説明図である。
【００６０】
図５及び図６に示すように、本実施形態のメンテナンス装置３４は遠隔操作装置３２に対し別の装置として設けており、遠隔操作装置３２は、扉４６の内側に動作表示灯４８、警報表示灯５０、リセットスイッチ６０及び音響孔６２を設けており、操作制御部７０に制御装置２２からの制御ライン７６を接続し、また起動スイッチ５８からの起動制御ライン７２を制御装置２２に接続しており、その構成及び機能は、メンテナンス装置３４を分離した点を除き、図２及び図３の場合と同様である。
【００６１】
メンテナンス装置３４は筐体の前面に下向きに開閉自在な扉５４を備え、扉５４は鍵穴５６を備えた施錠機構によりロックしており、また筐体正面の上部には、点検状態表示灯５２を設けている。点検状態表示灯５２は通常は点灯しており、コネクタ装置６４を切り離すと消灯し、コネクタ装置６４が切り離し状態にあることを報知する。
【００６２】
遠隔操作装置３２に設けた起動スイッチ５８との間は信号ライン８６により接続しており、起動スイッチ５８から信号ライン８６を介して引き込んだ起動信号ライン７２の片線にコネクタ装置６４の一方のコネクタ回路を挿入接続している。
【００６３】
また、メンテナンス装置３４と制御装置２２の間に接続したダミー信号ライン７４の片線には、コネクタ装置６４の他方のコネクタ回路を挿入接続し、続いてＬＥＤを用いた点検状態表示灯５２を挿入接続している。
【００６４】
このように遠隔操作装置３２に対しメンテナンス装置３４を分離配置し、信号ライン８６を解して接続するようにしたことで、遠隔操作装置３２の設置位置に制約されることなく、メンテナンス装置３４を自動消火設備を設置した場所の人為操作可能な適宜に位置に設置可能とし、例えば、メンテナンス装置３４は点検の際にしか使用しないことから、日常的には目立ちに場所などに設置することを可能とする。
【００６５】
この遠隔操作装置３２に対し分離配置したメンテナンス装置３４としては、コネクタ装置６４を、図４に示したメンテナンス装置３２の場合と同様、点検スイッチ８０としても良い。
【００６６】
図７は図５の遠隔操作装置及びメンテナンス装置の回路機能の他の実施形態を示した説明図である。
【００６７】
図７に示すように、本実施形態にあっては、制御装置２２に断線検出回路８８と切り離し表示回路９０を設けている。断線検出回路８８にはメンテナンス装置３４のコネクタ装置６４を経由して接続したダミー信号ライン７４の断線を監視しており、コネクタ装置６４の切り離しによる断線を検出して断線検出信号を切り離し検出表示回路９０に出力する。
【００６８】
切り離し表示回路９０は断線検出回路８８から断線検出信号を受けた場合に、信号ライン８６に駆動電圧を印加し、メンテナンス装置３４に設けた点検状態表示灯５２を点灯してコネクタ装置６４が切り離し状態にあることを表示する。
【００６９】
この断線検出回路８８によりダミー信号ライン７４の断線を検出して切り離し表示回路９０により点検状態表示灯５２を点灯してコネクタ装置６４が切り離し状態にあることを表示する構成は、遠隔操作装置３２及びメンテナンス装置３４を一体化した図２の実施形態に適用しても良い。
【００７０】
［本発明の変形例］
上記の実施形態は、厨房用に自動消火設備を設置した場合を例にとっているが、フード・ダクト用又はダクト専用の自動消火設備についても、同様に適用できる。
【００７１】
また、本発明はその目的と利点を損なうことのない適宜の変形を含み、更に上記の実施形態に示した数値による限定は受けない。
【符号の説明】
【００７２】
１０：レンジ
１２：フライヤー
１４：フード
１６：ダクト
１８：ファン
２０：収納ボックス
２２：制御装置
２４：ダクトセンサ
２６：消火剤容器
２８：起動装置
３０：消火ノズル
３２：遠隔操作装置
３４：メンテナンス装置
３６：ガス遮断操作装置
３８：ガス遮断弁
５２：点検状態表示灯
５４：扉
６４：コネクタ装置
６６：コネクタ
６８：プラグ
７２：起動信号ライン
７４：ダミー信号ライン
８０：点検スイッチ
８２：点検スイッチ接点
８４：連動スイッチ接点
８８：断線検出回路
９０：切り離し表示回路
【図１】
2015077317.tif 000003
【図２】
2015077317.tif 000004
【図３】
2015077317.tif 000005
【図４】
2015077317.tif 000006
【図５】
2015077317.tif 000007
【図６】
2015077317.tif 000008
【図７】
2015077317.tif 000009